(57)【要約】【課題】識別マークを目立たないようにした操作パネルを得る。【解決手段】光源３２ａ，３２ｂ，３２ｃからの可視光が透過可能で、かつ、可視光により識別マーク２６が可視可能に形成された表面板２２を備えると共に、表面板２２と光源２２との間に設けられた背面板３４を備える。また、表面板２２は透明又は識別マーク２６の表示色と同系色の半透明で、背面板３４は識別マーク２６の表示色と同系色の半透明とした。背面板３４は、光源３２ａ，３２ｂ，３２ｃからの可視光の光拡散性を有する。タッチスイッチ４４ａ，４４ｂ，４４ｃは、ループ状のアンテナ４２ａ，４２ｂ，４２ｃを設けた検出基板３６を備えると共に、表面板２２、背面板３４、検出基板３６をそれぞれの間に両面接着テープ５０，５４を設けて積層すると共に、両面接着テープ５０，５４は少なくともループ状のアンテナ４２ａ，４２ｂ，４２ｃ上を接着した。【選択図】  図２
2008053050.tif 000002
【特許請求の範囲】
【請求項１】
光源から照射される可視光の透過により、タッチスイッチの識別マークが可視可能に設けられた操作パネルにおいて、
前記光源からの前記可視光が透過可能で、かつ、前記可視光により前記識別マークが可視可能に形成された表面板を備えると共に、前記表面板と前記光源との間に設けられた背面板を備え、
また、前記表面板は透明又は前記識別マークの表示色と同系色の半透明で、前記背面板は前記識別マークの表示色と同系色の半透明であることを特徴とする操作パネル。
【請求項２】
前記背面板は、前記光源からの前記可視光の光拡散性を有することを特徴とする請求項１に記載の操作パネル。
【請求項３】
前記識別マークは前記表面板に無彩色により抜き文字表示されると共に、前記表面板は透明又は前記識別マークの表示色と同じ無彩色の半透明で、かつ、前記背面板は前記識別マークの表示色と同じ無彩色の半透明であることを特徴とする請求項１又は請求項２のいずれかに記載の操作パネル。
【請求項４】
また、前記タッチスイッチは、前記表面板の前記識別マーク上への近接又は接触を検出基板を介して検出することにより動作すると共に、前記検出基板は前記表面板と前記光源との間に設けられ、前記検出基板は前記可視光が透過可能であることを特徴とする請求項１ないし請求項３のいずれかに記載の操作パネル。
【請求項５】
前記タッチスイッチは、前記検出基板に設けられたアンテナを備え、該アンテナへの近接による静電容量の変化を検知して動作することを特徴とする請求項４に記載の操作パネル。
【請求項６】
前記タッチスイッチは、ループ状の前記アンテナを備えると共に、前記アンテナのループ内の前記検出基板には透過孔が形成されて前記可視光が透過可能で、前記表面板、前記背面板、前記検出基板をそれぞれの間に両面接着テープを設けて積層すると共に、前記両面接着テープは少なくともループ状の前記アンテナ上を接着したことを特徴とする請求項５に記載の操作パネル。
【請求項７】
前記光源を点灯させる点灯スイッチを別に設けたことを特徴する請求項１ないし請求項６のいずれかに記載の操作パネル。
【発明の詳細な説明】
【技術分野】
【０００１】
本発明は、光源から照射される可視光の透過により、タッチスイッチの動作内容等を示す識別マークが可視可能に設けられた操作パネルに関する。
【背景技術】
【０００２】
従来より、特許文献１にあるように、透明樹脂製の押しボタンの裏側に文字や記号からなる識別マークが表示された光拡散シートを貼り付け、光源からの可視光を光拡散シート、押しボタンに照射させて、スイッチの動作内容等を表示するようにしたものが知られている。
【０００３】
操作者は、押しボタンを通して光拡散シートに表示された識別マークを視認し、そのスイッチの動作内容等が意図するものであることを確認してから、操作者が押しボタンを押下すると、光源が点灯して、識別マークを光らせ、操作がなされたことを報知するように構成されている。
【０００４】
また、押しボタンスイッチに代えて、タッチスイッチを用いる場合もあり、その場合も同様に、識別マークを表示し、スイッチの動作内容等を表示している。操作者は、識別マークを視認して、そのタッチスイッチの動作内容等が意図するものであることを確認してから、操作者が指をタッチスイッチに近接または接触させると、光源が点灯して、識別マークを光らせ、操作がなされたことを報知するように構成されている。
【特許文献１】特開２００３−２５７２８３号公報（図２等）
【発明の開示】
【発明が解決しようとする課題】
【０００５】
こうした従来のものでは、操作者が操作するスイッチの動作内容を確認、あるいは、複数あるスイッチから意図する動作内容のスイッチを選択するために、文字や記号等の識別マークを表示し、この識別マークが容易に視認できるように明瞭に表示している。そして、スイッチを選択して操作したときには、光源を点灯して、スイッチが操作されたことを報知するようにしている。
【０００６】
しかし、光源が点灯する前でも、動作内容の確認やスイッチの選択等を行うために、識別マークを明確に視認できるようにしているので、識別マークが目立つように表示されており、必要がないのに注意を引きつけられたり、特に、識別マークが多数ある場合には雑然とした印象を与え、美観上も好ましくない。また、頻繁に操作するスイッチでない場合には、識別マークが目立つように表示されていると、他の動作の邪魔になる場合もあるという問題があった。
【０００７】
本発明の課題は、識別マークを目立たないようにした操作パネルを提供することにある。
【課題を解決するための手段】
【０００８】
かかる課題を達成すべく、本発明は課題を解決するため次の手段を取った。即ち、
光源から照射される可視光の透過により、タッチスイッチの識別マークが可視可能に設けられた操作パネルにおいて、
前記光源からの前記可視光が透過可能で、かつ、前記可視光により前記識別マークが可視可能に形成された表面板を備えると共に、前記表面板と前記光源との間に設けられた背面板を備え、
また、前記表面板は透明又は前記識別マークの表示色と同系色の半透明で、前記背面板は前記識別マークの表示色と同系色の半透明であることを特徴とする操作パネルがそれである。
【０００９】
前記背面板は、前記光源からの前記可視光の光拡散性を有するとよい。前記識別マークは前記表面板に無彩色により抜き文字表示されると共に、前記表面板は透明又は前記識別マークの表示色と同じ無彩色の半透明で、かつ、前記背面板は前記識別マークの表示色と同じ無彩色の半透明である構成としてもよい。
【００１０】
また、前記タッチスイッチは、前記表面板の前記識別マーク上への近接又は接触を検出基板を介して検出することにより動作すると共に、前記検出基板は前記表面板と前記光源との間に設けられ、前記検出基板は前記可視光が透過可能である構成としてもよい。
【００１１】
更に、前記タッチスイッチは、前記検出基板に設けられたアンテナを備え、該アンテナへの近接による静電容量の変化を検知して動作する構成でもよい。その際、前記タッチスイッチは、ループ状の前記アンテナを備えると共に、前記アンテナのループ内の前記検出基板には透過孔が形成されて前記可視光が透過可能で、前記表面板、前記背面板、前記検出基板をそれぞれの間に両面接着テープを設けて積層すると共に、前記両面接着テープは少なくともループ状の前記アンテナ上を接着した構成とするとよい。
【００１２】
また、前記光源を点灯させる点灯スイッチを別に設けた構成としてもよい。
【発明の効果】
【００１３】
本発明の操作パネルは、表面板が透明又は識別マークの表示色と同系色の半透明で、背面板が識別マークの表示色と同系色の半透明であるので、光源が点灯していないとき、識別マークが目立たず、多くの識別マークを表示しても、煩雑な印象を与えず、美観上も好ましいという効果を奏する。
【００１４】
また、背面板が光拡散性を有すると、光源を点灯したときに、光源からの可視光が適度に拡散されて、識別マークがほぼ均一に照らされて、識別マークが見やすくなる。更に、識別マークが無彩色で抜き文字表示されると共に、表面板が透明又は識別マークの表示色と同じ無彩色の半透明で、かつ、背面板が識別マークの表示色と同じ無彩色の半透明であると、電子鍵盤楽器に容易に適用でき、美観が向上する。
【００１５】
タッチスイッチの検出基板が可視光を透過可能であると、検出基板を表面板と光源との間に設けることができ、検出基板にアンテナを設けた静電容量形のタッチスイッチを用いることができる。表面板、背面板、検出基板をそれぞれの間に両面接着テープを設けて積層すると共に、両面接着テープが少なくともループ状のアンテナ上を接着した構成とすると、検出精度を向上させることができる。
【００１６】
また、光源を点灯させる点灯スイッチを別に設けることにより、識別マークを必要に応じて容易に認識できるようにすることができる。
【発明を実施するための最良の形態】
【００１７】
以下本発明を実施するための最良の形態を図面に基づいて詳細に説明する。
図１は、本実施形態の操作パネル１を用いたグランドピアノタイプの電子鍵盤楽器２の斜視図である。図１に示すように、電子鍵盤楽器２は、楽器本体４、楽器本体４を支持する３本の脚６（左右一対の脚部のみ図示し、後方の脚部は図示せず）、楽器本体４から下方へ延びるペダルユニット８等を備えている。楽器本体４は、左右一対の側板１０、上前板１２、大屋根１４、鍵盤蓋１６、鍵盤１８等を備えている。
【００１８】
本実施形態の操作パネル１は、鍵盤蓋１６の裏面に設けられており、鍵盤蓋１６を開いた状態としたときに、操作パネル１が演奏者の正面となるように配置され、鍵盤蓋１６の左右方向の全幅にわたって、細長く形成されて配置されている。
【００１９】
図２は、本実施形態の操作パネル１の要部を背面側から見た分解斜視図であり、図３は本実施形態のフレーム２４を除いた操作パネル１の要部を正面側から見た分解斜視図である。操作パネル１は、図２に示すように、アクリル板等により形成された表面板２２を備え、表面板２２はスチール製のフレーム２４に取り付けられている。表面板２２は操作パネル１の全面にわたって設けられ、表面板２２が演奏者の正面に、フレーム２４が表面板２２の裏側となるように配置されて、演奏者からは表面板２２のみが見えるように、それぞれの大きさが決められている。
【００２０】
フレーム２４には、スイッチ穴２４ａや表示窓２４ｂ等の穴や窓等が形成されている。表面板２２には、文字や記号等の識別マーク２６が設けられており、識別マーク２６はスイッチ穴２４ａの位置に対応して設けられると共に、スイッチ穴２４ａ内に収まるようにスイッチ穴２４ａよりも少し小さく形成されて、表面板２２をフレーム２４に取り付けた際に、スイッチ穴２４ａと識別マーク２６とが重なるように設けられている。
【００２１】
識別マーク２６は、後述するタッチスイッチ４４ａ，４４ｂ，４４ｃの動作内容等を文字あるいは記号等で表示して演奏者に報知する情報であり、本実施形態では、３つのタッチスイッチ４４ａ，４４ｂ，４４ｃに対応した３つの識別マーク２６が、「Ａ」「Ｂ」「Ｃ」として表示されている場合を例に説明する。
【００２２】
また、識別マーク２６は、周囲の色彩と同系統の色彩の表示色で表示、例えば、電子鍵盤楽器２の鍵盤蓋１６の色彩が黒色である場合には、識別マーク２６の表示色は黒色とする。あるいは、電子鍵盤楽器２の鍵盤蓋１６の色彩が白色である場合には、識別マーク２６の表示色は白色とする。
【００２３】
本実施形態では、識別マーク２６は、図２、図３に示すように、表面板２２の裏面側に抜き文字印刷により形成されている。これにより、表面板２２の裏面が黒色に印刷され、識別マーク２６の箇所が「Ａ」「Ｂ」「Ｃ」の形状に抜かれて、表面板２２の裏面に識別マーク２６が表示される。この場合、表面板２２の裏面全面を識別マーク２６を除いて黒色で印刷してもよく、あるいは、スイッチ穴２４ａが隠れる程度に表面板２２の裏面を黒色で印刷し、フレーム２４の表面を黒色に塗装してもよい。
【００２４】
抜き文字印刷の場合は、周囲の色が、本実施形態では黒色が識別マーク２６の表示色となる。識別マーク２６は抜き文字印刷される場合に限らず、識別マーク２６の「Ａ」「Ｂ」「Ｃ」を黒色により印刷して形成してもよい。この場合、識別マーク２６の表示色は黒色になる。また、識別マーク２６は表面板２２に印刷する場合に限らず、識別マーク２６を形成した薄いシールを表面板２２に貼り付けてもよい。
【００２５】
表面板２２は、可視光が透過可能なアクリル板で形成されており、透過する可視光により識別マーク２６が可視可能に形成されている。本実施形態では、識別マーク２６が黒色で抜き文字印刷されており、鍵盤蓋１６が黒色であるので、表面板２２は黒色の半透明なアクリル板、いわゆるスモーク性のアクリル板で形成されている。
【００２６】
尚、表面板２２は透明なアクリル板により形成しても実施可能である。識別マーク２６の「Ａ」「Ｂ」「Ｃ」を黒色により印刷した場合などでは、表面板２２を通してフレーム２４が見えるので、フレーム２４の表面を黒色塗装すればよい。
【００２７】
フレーム２４には、表面板２２が取れ付けられた反対側の裏面側に、回路基板２７が取り付けられている。回路基板２７は、フレーム２４に設けられた一対のボス部２８ａ，２８ｂに、回路基板２７を貫通する一対のビス３０ａ，３０ｂが螺入されて固定されている。回路基板２７には、発光ダイオードを用いた光源３２ａ，３２ｂ、３２ｃが設けられている。
【００２８】
光源３２ａ，３２ｂ、３２ｃは回路基板２７のフレーム２４側に、スイッチ穴２４ａに対向すると共に、識別マーク２６に対向して配置されている。光源３２ａ，３２ｂ、３２ｃの数は、識別マーク２６の「Ａ」「Ｂ」「Ｃ」に対応しており、識別マーク２６が「Ａ」の一つであるときには、一つの光源３２ａのみでよい。光源３２ａ，３２ｂ、３２ｃと識別マーク２６との間の距離を適当に確保するために、ボス部２８ａ，２８ｂが適当な高さに形成されている。
【００２９】
表面板２２と光源３２ａ，３２ｂ、３２ｃとの間には、背面板３４が設けられている。背面板３４は可視光の透過性を有すると共に、可視光の拡散性をも有し、かつ、識別マーク２６の表示色と同系色の半透明である。本実施形態では、識別マーク２６の表示色が黒色であるので、背面板３４は黒色の半透明な樹脂シート、いわゆるスモーク性の樹脂シートで形成されている。
【００３０】
光源３２ａ，３２ｂ、３２ｃが点灯していない状態で、演奏者が表面板２２を見たときに、例えば、識別マーク２６の抜き文字を通して背面板３４が見えるが、背面板３４が黒色半透明であるので、演奏者から識別マーク２６が目立たないように、背面板３４の半透明の程度（透過できる光量）を決定する。同時に、光源３２ａ，３２ｂ、３２ｃが点灯した状態では、光源３２ａ，３２ｂ、３２ｃからの可視光が背面板３４を透過すると共に、可視光を拡散させて、識別マーク２６を裏側から照らす。その際には、演奏者が識別マーク２６を認識できるように、背面板３４の半透明の程度（透過できる光量）を決定する。
【００３１】
また、背面板３４には、例えば、黒色半透明のポリカーボネート等の樹脂シートの表面に小さな凹凸を多数形成して可視光の拡散性を持たせたもの、あるいは、炭酸カルシウム等の光拡散性微粒子を分散させたもの等が用いられる。尚、識別マーク２６の表示色が白色である場合には、背面板３４には白色半透明で、可視光の拡散性を有するものが用いられる。
【００３２】
背面板３４が光拡散性を有すると、光源３２ａ，３２ｂ、３２ｃがいわゆる点光源であっても、識別マーク２６が全体にわたって均一に照らされるが、その必要がない場合には、背面板３４は光拡散性を有する必要はない。また、光源３２ａ，３２ｂ、３２ｃがいわゆる面光源である場合にも背面板３４が光拡散性を有する必要はなく、光拡散板を背面板３４と別に設けた場合にも同様である。
【００３３】
回路基板２７と背面板３４との間には、検出基板３６が配置されており、検出基板３６には可視光が透過可能な透過孔４０ａ，４０ｂ，４０ｃが形成されている。透過孔４０ａ，４０ｂ，４０ｃは識別マーク２６に対向して形成されており、３つの透過孔４０ａ，４０ｂ，４０ｃは識別マーク２６の「Ａ」「Ｂ」「Ｃ」に対向して、識別マーク２６の「Ａ」「Ｂ」「Ｃ」の大きさとほぼ同じ程度の大きさの孔に形成されている。検出基板３６には、各透過孔４０ａ，４０ｂ，４０ｃの周囲に沿って、それぞれループ状のアンテナ４２ａ，４２ｂ，４２ｃが表面板２２側の表面に形成されている。
【００３４】
図４は本実施形態の操作パネル１の電気系統を示すブロック図である。検出基板３６は回路基板２７に接続部材４６を介して接続されており、図４に示すように、各アンテナ４２ａ，４２ｂ，４２ｃは、発振回路４３ａ，４３ｂ，４３ｃが設けられた回路基板２７に接続されて、３つのタッチスイッチ４４ａ，４４ｂ，４４ｃが形成されている。
【００３５】
本実施形態のタッチスイッチ４４ａ，４４ｂ，４４ｃは静電容量形のもので、アンテナ４２ａ，４２ｂ，４２ｃに誘電体が接近することによりアンテナ４２ａ，４２ｂ，４２ｃと大地間の静電容量が変化し、発振回路４３ａ，４３ｂ，４３ｃの出力が変化して、動作する周知のものである。
【００３６】
回路基板２７には、タッチスイッチ４４ａ，４４ｂ，４４ｃとは別の点灯スイッチ４８も接続されると共に、回路基板２７は図示しない電源に接続されている。点灯スイッチ４８が操作されたときには、回路基板２７上の各光源３２ａ，３２ｂ，３２ｃを点灯させるように構成されている。点灯スイッチ４８は、例えば、図１に示すように、操作パネル１の隅に配置され、点灯スイッチ４８もタッチスイッチが好ましいが、押釦スイッチでもよい。例えば、点灯スイッチ４８は容易に認識できるように、点灯スイッチ４８が照光式スイッチである場合には、鍵盤蓋１６を開いた際に、点灯するように構成してもよい。
【００３７】
一方、図２、図３に示すように、背面板３４と検出基板３６とは、その間に設けられた両面接着テープ５０により接着されている。両面接着テープ５０には、検出基板３６の各透過孔４０ａ，４０ｂ，４０ｃに対応して、ほぼ同じ大きさの透過孔５２ａ，５２ｂ，５２ｃが形成されている。また、両面接着テープ５０は、ループ状の各アンテナ４２ａ，４２ｂ，４２ｃの外周側よりも大きく形成されて、少なくともループ状のアンテナ４２ａ，４２ｂ，４２ｃ上を接着するように形成されている。
【００３８】
また、表面板２２と背面板３４とも、同様の両面接着テープ５４により接着されている。この両面接着テープ５４にも同様の大きさの透過孔５６ａ，５６ｂ，５６ｃが形成されている。更に、両面接着テープ５４は、ループ状の各アンテナ４２ａ，４２ｂ，４２ｃの外周側よりも大きく形成されて、少なくともループ状のアンテナ４２ａ，４２ｂ，４２ｃ上を接着するように形成されている。
【００３９】
尚、本実施形態では、検出基板３６に透過孔４０ａ，４０ｂ，４０ｃを形成したが、検出基板３６が透明性の基板である場合には透過孔４０ａ，４０ｂ，４０ｃを形成する必要はない。また、タッチスイッチ４４ａ，４４ｂ，４４ｃに静電容量形のものを用いたが、これに限らず、他のタッチスイッチでもよく、例えば、一対の透明電極を十字状に一対の透明基板にそれぞれ配置し、指で押圧することにより一対の透明電極が導通して動作するようにしたタッチスイッチであってもよい。このようなタッチスイッチの場合、表面板２２の表側に透明基板を配置してもよい。
【００４０】
次に本実施形態の操作パネル１の作動について説明する。
まず、演奏者が鍵盤蓋１６を開くと、鍵盤蓋１６の裏側に設けられた操作パネル１の点灯スイッチ４８が点灯して、点灯スイッチ４８の位置を容易に視認できる。この状態では、操作パネル１では、光源３２ａ，３２ｂ、３２ｃが点灯していないので、識別マーク２６は目立たない。
【００４１】
図６（ａ）に示すように、光源３２ａ，３２ｂ、３２ｃが点灯していないと、識別マーク２６が抜き文字印刷されていても、表面板２２や背面板３４が黒色の半透明、いわゆるスモークであるので、抜き文字印刷の識別マーク２６もほぼ黒色となる。従って、演奏者は、操作パネル１を見ても識別マーク２６は目立たず、何も表示されていないように見える。
【００４２】
演奏者が必要に応じて点灯スイッチ４８を操作すると、光源３２ａ，３２ｂ、３２ｃが点灯する。これにより、光源３２ａ，３２ｂ、３２ｃから発せられた可視光は、検出基板３６の透過孔４０ａ，４０ｂ，４０ｃ及び両面接着テープ５０の透過孔５２ａ，５２ｂ，５２ｃを透過し、背面板３４に達する
背面板３４では、可視光を拡散すると共に、黒色の半透明であるので、一部の可視光を吸収すると共に、他の可視光は背面板３４を透過して、両面接着テープ５４の透過孔５６ａ，５６ｂ，５６ｃから表面板２２の裏側を照らす。
【００４３】
これにより、図６（ｂ）に示すように、抜き文字印刷の識別マーク２６を裏側から照らし、識別マーク２６の抜き文字を可視光が透過して、演奏者は識別マーク２６を明確に認識できるようになる。
【００４４】
演奏者は、その識別マーク２６に応じた動作をさせたいときには、識別マーク２６の「Ａ」「Ｂ」「Ｃ」を選択して、図５に示すように、指を近接させ、表面板２２に接触させる。これにより、タッチスイッチ４４ａ，４４ｂ，４４ｃは指の近接を検出して、タッチスイッチ４４ａ，４４ｂ，４４ｃが動作する。
【００４５】
タッチスイッチ４４ａ，４４ｂ，４４ｃが指の近接を検出した際に、そのタッチスイッチ４４ａ，４４ｂ，４４ｃに対応した光源３２ａ，３２ｂ、３２ｃの輝度を増加させて、タッチスイッチ４４ａ，４４ｂ，４４ｃが操作されたことを演奏者に報知するようにするとよい。あるいは、輝度を変える場合に限らず、光源３２ａ，３２ｂ、３２ｃを点滅させたり、光源３２ａ，３２ｂ、３２ｃの発光色を変更するようにしてもよい。
【００４６】
また、タッチスイッチ４４ａ，４４ｂ，４４ｃでは、少なくともループ状のアンテナ４２ａ，４２ｂ，４２ｃ上が両面接着テープ５０，５４により接着されているので、アンテナ４２ａ，４２ｂ，４２ｃに対して、背面板３４や表面板２２が相対的に動くことがなく、これらが相対的に動くことによる静電容量の変化を誤検出するのを防止でき、近接や接触を正確に検出でき、検出精度が向上する。
【００４７】
尚、前述した実施形態では、電子鍵盤楽器２の楽器本体２や鍵盤蓋１６の色に合わせて、識別マーク２６の表示色を黒色や白色とし、背面板３４を同系色の半透明とした場合を例としたが、これに限らず、識別マーク２６の表示色を有彩色としてもよい。その場合には、背面板３４を同系色の半透明とすると共に、表面板２２は透明あるいは同系色の半透明とすればよい。例えば、識別マーク２６の表示色を青色とした場合には、背面板３４を青色の半透明として形成し、表面板２２透明あるいは青色の半透明とすればよい。また、本実施形態の操作パネル１は電子鍵盤楽器２に用いる場合に限らず、スイッチを用いる他の電子機器、例えば、ステレオ音響装置やテレビ受像装置等の操作パネルに用いてもよい。
【００４８】
以上本発明はこの様な実施形態に何等限定されるものではなく、本発明の要旨を逸脱しない範囲において種々なる態様で実施し得る。
【図面の簡単な説明】
【００４９】
【図１】本発明の一実施形態としての操作パネルを用いたグランドピアノタイプの電子鍵盤楽器の斜視図である。
【図２】本実施形態の操作パネルの要部を背面側から見た分解斜視図である。
【図３】本実施形態のフレームを除いた操作パネルの要部を正面側から見た分解斜視図である。
【図４】本実施形態の操作パネルの電気系統を示すブロック図である。
【図５】本実施形態の操作パネルの要部の断面を示す説明図である。
【図６】本実施形態の光源の点灯の違いによる識別マークの状態を示す説明図である。
【符号の説明】
【００５０】
１…操作パネル      ２…電子鍵盤楽器
４…楽器本体        １６…鍵盤蓋
１８…鍵盤          ２２…表面板
２４…フレーム      ２４ａ…スイッチ穴
２６…識別マーク    ２７…回路基板
３２ａ，３２ｂ，３２ｃ…光源
３４…背面板        ３６…検出基板
４０ａ，４０ｂ，４０ｃ…透過孔
４２ａ，４２ｂ，４２ｃ…アンテナ
４３ａ，４３ｂ，４３ｃ…発振回路
４４ａ，４４ｂ，４４ｃ…タッチスイッチ
４６…接続部材      ４８…点灯スイッチ
５０，５４…両面接着テープ
５２ａ，５２ｂ，５２ｃ，５６ａ，５６ｂ，５６ｃ…透過孔
【図１】
2008053050.tif 000003
【図４】
2008053050.tif 000004
【図５】
2008053050.tif 000005
【図２】
2008053050.tif 000006
【図３】
2008053050.tif 000007
【図６】
2008053050.tif 000008